(57)【要約】【課題】照明装置の外観を向上できる車両用アウトサイドミラー装置を提供すること。【解決手段】この車両用アウトサイドミラー装置１は、照明装置３を備える車両用アウトサイドミラー装置である。照明装置３は、灯室を区画するレンズ３４およびベース３１と、灯室内に配置された光源３２とから構成されている。この車両用アウトサイドミラー装置１は、レンズ３４にはハーフミラー処理が施されるていることを特徴とする。この結果、光源３２の非点灯時にて外部からの光がアウターレンズ３４にて反射されて、照明装置３の外観が鏡面のように見える（図３参照）。したがって、照明装置３の内部構造がアウターレンズ３４越しに外部から見えない構成となっているので、車両用アウトサイドミラー装置１の外観が向上する利点がある。【選択図】        図１
2005212755.tif 000002
【特許請求の範囲】
【請求項１】
照明装置を備える車両用アウトサイドミラー装置において、
前記照明装置は、灯室を区画するレンズおよびベースと、前記灯室内に配置された光源とから構成されており、
前記レンズにはハーフミラー処理が施されている、
ことを特徴とする車両用アウトサイドミラー装置。
【請求項２】
前記光源からの光を拡散させて前記照明装置から外部に照射させる光拡散手段を有する、ことを特徴とする請求項１に記載の車両用アウトサイドミラー装置。
【請求項３】
前記レンズは、アウターレンズとインナーレンズとから構成されており、前記アウターレンズまたは前記インナーレンズのいずれか一方は、ハーフミラー処理が施されており、他方は、前記光源からの光を透過させる際に拡散させる光拡散手段が設けられている、ことを特徴とする請求項１に記載の車両用アウトサイドミラー装置。
【発明の詳細な説明】
【技術分野】
【０００１】
この発明は、車両用アウトサイドミラー装置に関し、さらに詳しくは、照明装置の外観を向上できる車両用アウトサイドミラー装置に関する。
【背景技術】
【０００２】
近年、ドアミラーに照明装置が搭載された車両用アウトサイドミラー装置が知られている。かかる従来の車両用アウトサイドミラー装置には、特許文献１に記載される技術が知られている。
【０００３】
ここで、従来の車両用アウトサイドミラー装置では、照明装置が、光源と、この光源の光を拡幅するアウターレンズとを含み構成される。しかしながら、従来の車両用アウトサイドミラー装置では、このアウターレンズが透明な樹脂材料等により構成されていたため、外部から、光源が素通しに見えていた。このため、光源の非点灯時における照明装置の見栄えが悪いという課題があった。
【０００４】
【特許文献１】特開２００２−７９８７８号公報
【発明の開示】
【発明が解決しようとする課題】
【０００５】
そこで、この発明は、上記に鑑みてされたものであって、照明装置の外観を向上できる車両用アウトサイドミラー装置を提供することを目的とする。
【課題を解決するための手段】
【０００６】
上記目的を達成するため、この車両用アウトサイドミラー装置は、照明装置を備える車両用アウトサイドミラー装置において、前記照明装置は、灯室を区画するレンズおよびベースと、前記灯室内に配置された光源とから構成されており、前記レンズにはハーフミラー処理が施されることを特徴とする。
【０００７】
この車両用アウトサイドミラー装置では、レンズにハーフミラー処理が施されているので、光源の非点灯時にて、照明装置の外観が鏡面のように見える。したがって、照明装置の内部構造がレンズ越しに外部から見えない構成となっているので、その外観が向上する利点がある。
【０００８】
また、この車両用アウトサイドミラー装置は、前記光源からの光を拡散させて前記照明装置から外部に照射させる光拡散手段を有する。
【０００９】
この車両用アウトサイドミラー装置では、光源からの光が光拡散手段によって拡散されて外部に照射される。したがって、照明装置の点光現象（点灯時にて、配列された光源毎に光が点々と見える現象）が抑制されるので、点灯時における照明装置の外観が向上する利点がある。
【００１０】
また、この車両用アウトサイドミラー装置は、前記レンズは、アウターレンズとインナーレンズとから構成されており、前記アウターレンズまたは前記インナーレンズのいずれか一方は、ハーフミラー処理が施されており、他方は、前記光源からの光を透過させる際に拡散させる光拡散手段が設けられていることを特徴とする。
【００１１】
この車両用アウトサイドミラー装置では、（１）アウターレンズまたはインナーレンズのいずれか一方にハーフミラー処理が施されているので、非点灯時における照明装置の外観がより向上する利点がある。また、（２）アウターレンズまたはインナーレンズのいずれか他方に光拡散手段が形成されているので、光源に近い側にて光が拡散されて、照明装置の点光りがより効果的に抑制される利点がある。
【発明の効果】
【００１２】
この車両用アウトサイドミラー装置によれば、レンズにハーフミラー処理が施されているので、光源の非点灯時にて、照明装置の外観が鏡面のように見えるので、照明装置の内部構造がレンズ越しに外部から見えない構成となっているので、その外観が向上する利点がある。
【発明を実施するための最良の形態】
【００１３】
以下、この発明につき図面を参照しつつ詳細に説明する。なお、この実施例によりこの発明が限定されるものではない。また、以下に示す実施例の構成要素には、当業者が置換可能かつ容易なもの、或いは実質的同一のものが含まれる。
【実施例１】
【００１４】
［車両用アウトサイドミラー装置の構成］
図１は、この発明の実施例１にかかる車両用アウトサイドミラー装置を示す斜視図である。図２は、図１に記載した車両用アウトサイドミラー装置の照明装置を示すＩＩ−ＩＩ線断面図である。図３および図４は、図２に記載した照明装置の作用を示すＩＩＩ−ＩＩＩ線断面図であり、図３が非点灯時における作用を、図４が点灯時における作用を、それぞれ示している。この車両用アウトサイドミラー装置１は、ドアミラー２と、照明装置３とを含み構成される。この車両用アウトサイドミラー装置１では、照明装置３にハーフミラー処理が施されることによって、その外観が向上する点に特徴を有する。
【００１５】
ドアミラー２は、ミラーハウジング２１と、ミラー２２とを含み構成される。ミラーハウジング２１は、湾曲した容器形状を有し、その開口部にはミラー２２が配置されている。ミラーハウジング２１は、開口部側（ミラー２２が配置されている側）を車両の後方（運転席側）に向けつつ車両のドアに対して固定設置される。また、このミラーハウジング２１には、細長の切欠部２３が設けられている。切欠部２３は、ドアミラー２が車両に設置された状態にて、自動車の前側から車外幅にかけて横長に延在するように、ミラーハウジング２１を切り欠いて形成される（図１および２参照）。なお、図１および図２は、ドアミラー２が自動車の左側のドアに設置されている状態を示しているが、このドアミラー２は、自動車の右側のドアに対しても同様に設置される（図示省略）。
【００１６】
照明装置３は、ベース３１と、光源３２と、インナーレンズ３３と、アウターレンズ３４と、光拡散手段３５とを含み構成される。この照明装置３は、ドアミラー２の切欠部２３に対して嵌め込まれ、アウターレンズ３４の表面がミラーハウジング２１の外周面（車両の前側の面）に対して略面一状態となるように設置される。これにより、照明装置３は、ドアミラー２の前側から車外幅方向に横長に延在し、外観上ドアミラー２の一部を構成するように設置される。なお、この照明装置３には、例えば、ターンランプ、フットランプ、カメラ用照明ランプ（可視光線ランプおよび赤外線ランプが含まれる。）、装飾用ランプが適用される。
【００１７】
この照明装置３では、ベース３１が、細長形状を有する板状部材から成り、ドアミラー２の外周形状に沿うように緩やかに湾曲した形状を有する。また、光源３２は、帯状のシート部に複数の発光素子を配列して構成され、ベース３１の平面上に貼り付けられて設置される。なお、この光源３２には、かかる構造を有するものに限定されず、ＬＥＤ（light emitting diode）、バルブなど当業者自明ののものが採用され得る。前記光源３２は、ガラスエポキシ樹脂などのフレキシブルシートと、前記フレキシブルシートの表面に表面実装された複数の発光素子とから構成されているものである。前記発光素子の表面実装は、フレキシブルシートの表面に発光素子のエポキシ樹脂などのチップをボンディングし、このチップを透明樹脂のレンズで覆い、このレンズをフレキシブルシールの表面に固定してなるものである。
【００１８】
また、インナーレンズ３３は、ベース３１および光源３２に対して所定の隙間を隔てつつ、光源３２を覆うように設置される（図３参照）。ここで、このインナーレンズ３３の内面には、光拡散手段３５が形成されている。この光拡散手段３５は、具体的には、インナーレンズ３３の表面を三角プリズム形状、半球プリズム形状、円柱プリズム形状等とすることにより形成される。光拡散手段３５は、光源３２からの光がインナーレンズ３３を通過する際に、この光を拡散させる作用を有する。
【００１９】
また、アウターレンズ３４は、光源３２およびインナーレンズ３３を覆うように、ベース３１に対して固定設置され、ベース３１と共に照明装置３の灯室を区画している。このアウターレンズ３４は、照明装置３の設置状態にて、ドアミラー２の外周面を構成するように配置される。また、アウターレンズ３４は、照明装置３の機能時にて、光源３２が発する光を拡幅して外部に照射する機能を有する。ここで、アウターレンズ３４は、その外周面（設置状態にてドアミラー２の外周面に現れる面）にハーフミラー処理が施されており、光源３２からの光の透過率が２０［％］〜８０［％］となるように構成されている。なお、このハーフミラー処理は、例えば、（１）蒸着処理、スパッタリング処理などによる薄膜形成、（２）インモールド法、ホットスタンプ、シート挟み込みなどによるフィルム形成、（３）銀鏡塗装、（４）スクリーン印刷、タンポ印刷、インクジェット印刷などによる印刷処理などによって施される。また、その透過率は、照明装置３の仕様やユーザーのオプション選択により、当業者自明の範囲内にて任意に選択できる。
【００２０】
［車両用アウトサイドミラー装置の作用効果］
この車両用アウトサイドミラー装置１では、アウターレンズ３４にハーフミラー処理が施されているので、光源３２の非点灯時にて外部からの光がアウターレンズ３４にて反射されて、照明装置３の外観が鏡面のように見える（図３参照）。したがって、照明装置３の内部構造がアウターレンズ３４越しに外部から見えない構成となっているので、車両用アウトサイドミラー装置１の外観が向上する利点がある。
【００２１】
一方、かかる構成では、光源３２の点灯時にて光がアウターレンズ３４を透過し、外部から点灯を視認できる（図４参照）。これにより、照明装置３としての機能が確保される。また、これにより、光源３２の非点灯時にて、車両用アウトサイドミラー装置１の一見光らないように見える部分（アウターレンズ３４）が光るので、ビジュアル的な意外性を演出できる利点がある。また、ミラーハウジング２１がダーク色により構成されるときに、ハーフミラー処理された部分がデザイン上のアクセントとなる。これにより、車両用アウトサイドミラー装置１の外観がより向上する利点がある。
【００２２】
また、この車両用アウトサイドミラー装置１では、光源３２からの光がインナーレンズ３３の光拡散手段３５によって拡散されて外部に照射される（図４参照）。したがって、照明装置３の点光現象（点灯時にて、配列された光源３２毎に光が点々と見える現象）が抑制されるので、点灯時における照明装置２３の外観が向上する利点がある。
【００２３】
［付加的事項］
なお、この車両用アウトサイドミラー装置１では、アウターレンズ３４にハーフミラー処理が施されているが、これは、非点灯時における照明装置３の外観がより向上する点で好ましい。しかし、これに限らず、ハーフミラー処理は、インナーレンズ３３側に施されても良い。
【００２４】
また、この車両用アウトサイドミラー装置１では、アウターレンズ３４の外周面にハーフミラー処理が施されている。しかし、これに限らず、ハーフミラー処理は、アウターレンズ３４の内周面に施されても良い（図示省略）。これにより、ハーフミラー処理面に埃や汚れが付着する事態を防止できる利点がある。
【００２５】
また、この車両用アウトサイドミラー装置１では、光拡散手段３５が、照明装置３のインナーレンズ３３に形成される。これは、光源３２に近い側にて光が拡散されて、照明装置３の点光りがより効果的に抑制される点で好ましい。しかし、これに限らず、光拡散手段３５は、アウターレンズ３４側（内周面もしくは外周面、または、その両面）に形成されても良い（図示省略）。
【産業上の利用可能性】
【００２６】
以上のように、この発明にかかる車両用アウトサイドミラー装置は、照明装置の外観を向上できる点で有用である。
【図面の簡単な説明】
【００２７】
【図１】この発明の実施例１にかかる車両用アウトサイドミラー装置を示す斜視図である。
【図２】図１に記載した車両用アウトサイドミラー装置の照明装置を示すＩＩ−ＩＩ線断面図である。
【図３】図２に記載した照明装置の作用を示すＩＩＩ−ＩＩＩ線断面図である。
【図４】図２に記載した照明装置の作用を示すＢ−Ｂ視断面図である。
【符号の説明】
【００２８】
１  車両用アウトサイドミラー装置
２  ドアミラー
２１  ミラーハウジング
２２  ミラー
２３  切欠部
３  照明装置
３１  ベース
３２  光源
３３  インナーレンズ
３４  アウターレンズ
３５  光拡散手段
【図１】
2005212755.tif 000003
【図２】
2005212755.tif 000004
【図３】
2005212755.tif 000005
【図４】
2005212755.tif 000006